(57)【要約】    【課題】  ブラシ機構の調整方向の全長の短縮化が容易で、ブラシ取付部の周りの空間の省スペース化が容易なレンズ鏡筒を得ること。    【解決手段】  コードパターンとコードパターンと接触する位置調整可能なブラシとブラシ取付部材とを備え、コードパターンをブラシが摺接することで、パターンに応じた信号を発生し、ブラシはブラシ固定用ビスが挿通される長さの異なる第１、第２の長穴を少なくとも２つ有し、ブラシ取付部材は、第１の長穴を介して第１のビスを挿入する第１のビス穴と、第２の長穴を介して第２のビスを挿入する複数のビス穴を有し、第１の長穴を介して第１のビス穴に第１のビスを挿入してブラシを固定した際、第２の長穴から前記複数のビス穴のうちの少なくとも一つのビス穴が露出すること。【選択図】    図４
2009169052.tif 000002
【特許請求の範囲】
【請求項１】
固定筒と、
前記固定筒に対して回転可能なカム筒、
前記カム筒に回動力を伝達する回転伝達環、
前記カム筒の回転により光軸方向に進退駆動され、
フォーカスレンズ群を保持するレンズ保持枠、
前記回転伝達環に外周面の周方向の調整範囲内の任意の位置に位置調整可能な状態で取着されるブラシユニット、
前記固定筒に設けたコードパターン、
前記ブラシユニットのブラシ部が前記コードパターンに摺接して、
前記回転伝達環の前記固定筒に対する回転情報を検出する位置検出手段、
とを有するレンズ鏡筒であって、
前記ブラシユニットは、前記回転伝達環の周方向に前記ブラシユニットの固定用の第１、第２のビスが挿通される第１、第２の長穴を有し、前記第１の長穴の周方向の長さは、前記第２の長穴の周方向の長さよりも長く、
前記回転伝達環は、前記ブラシユニットの調整方向を規制する前記ブラシユニットの第１、第２の長穴に各々嵌入するガイド部と、
前記第１の長穴を介して前記ブラシユニットを固定するための第１のビスを挿入する第１のビス穴と、
前記第２の長穴を介して前記ブラシユニットを固定するため第２のビスを挿入する複数のビス穴を有しており、
前記ブラシユニットを前記回転伝達環に前記調整範囲内の任意の位置に調整して、前記第１の長穴を介して前記第１のビス穴に前記第１のビスを挿入して固定するとき、
前記第２の長穴から前記複数のビス穴のうち少なくとも１つのビス穴が露出するように構成されていることを特徴とするレンズ鏡筒。
【請求項２】
前記ブラシユニットのブラシ部は前記回転伝達環の調整範囲内の任意の位置において、前記コードパターンを摺接する際の押圧力が維持されていることを特徴とする請求項１に記載のレンズ鏡筒。
【請求項３】
前記ガイド部は第１、第２の突起から成り、第１の突起は前記第１の長穴と嵌合し、第２の突起は前記第２の長穴と嵌合して前記ブラシユニットを前記調整方向にガイドすることを特徴とする請求項１又は２に記載のレンズ鏡筒。
【請求項４】
前記回転伝達環は環状であり、前記ブラシユニットは、前記環状の外周面に位置調整可能に取り付けられることを特徴とする請求項１、２又は３に記載のレンズ鏡筒。
【請求項５】
請求項１乃至４のいずれか１項のレンズ鏡筒を有することを特徴とする撮像装置。
【発明の詳細な説明】
【技術分野】
【０００１】
本発明はデジタルスチルカメラ、ビデオカメラ、テレビカメラ等の撮像装置に好適なレンズ鏡筒に関する。
【背景技術】
【０００２】
撮像装置に用いられるレンズ鏡筒においては、フォーカスレンズ群を保持するフォーカスカム環（レンズ保持枠）に回転力を伝達する環状部材（回転伝達環）が用いられている。又この環状部材とレンズ鏡筒の固定部材（固定筒）との間に、回転位置検出用のコード板とこのコード板に接触するブラシ機構（ブラシユニット）を設けている。そしてこれらを用いて被写体距離を検出する距離検出手段を構成している。
【０００３】
この構成では、固定部材の周方向に延長し、配置されたコード板に複数ビットの導電・非導電のパターン（コードパターン）（ランド）が形成されている。
【０００４】
そしてこのコード板の導電・非導電のパターンと接触するコードパターン接触部のオンオフ情報により被写体距離を検出している。
【０００５】
また、多くの撮像装置のレンズ鏡筒においては、組立時に、ピント位置を感光面（撮像素子）の位置に一致させるバックフォーカス調整を行っている。このバックフォーカス調整は、レンズ系全体を光軸方向に移動させる、或いは、フォーカスカム環の光軸方向の位置を変化させたり、フォーカスカム環の使用範囲を変化させてフォーカスレンズ群の駆動範囲を光軸方向シフトするなどして行なう。
【０００６】
ところが、このバックフォーカス調整を行なうと、フォーカスカム環の光軸方向の位置も変化することから、コード板とブラシ機構の光軸方向の相対位置が変化してくる。勿論、この調整分を見込んで、コード板のランド機構の幅を広く設定しておけば、機能上何ら問題はない。しかしながら、レンズ鏡筒全体の小型化を図るには不利となる。
【０００７】
これに対して、フォーカスカム環と、フォーカスカム環に対して回転方向は自由、且つ光軸方向に一体駆動されるよう拘束されたピント調整駒との間でブラシ機構を構成したレンズ鏡筒が知られている（特許文献１）。
【０００８】
この構成において、バックフォーカス調整手段として、ピント調整駒（光軸方向移動部材）が固定部材上で光軸と平行な方向の直進移動ができるように支持されている。そして固定部材の周面には、光軸と平行な方向に長い長孔が形成されている。この長孔に固定ねじが挿入されており、ピント調整駒は固定ねじを緩めることにより、長孔の有効長の範囲内で光軸と平行な方向に位置調整できるようにしている。
【０００９】
従って、バックフォーカス調整によって、例えばコード板を有するフォーカスカム環が光軸方向に移動すると、これに伴って、ブラシ機構を有する光軸方向移動部材もフォーカスカム環と同じ距離だけ移動する。このためコード板とブラシ機構の光軸方向の相対位置が変化することがない。
【特許文献１】実開平０６−０１０９０９号公報
【発明の開示】
【発明が解決しようとする課題】
【００１０】
特許文献１のレンズ鏡筒では、フォーカスカム環と一体移動するブラシ機構を有する光軸方向移動部材は任意の調整位置でそれに設けた長穴に対してビス固定が可能である。しかしながら、ピント調整駒の移動量だけ長穴の直線部の長さを確保する必要がある。このため、移動量を多くしようとすると光軸方向移動部材が大型化し、又それの移動空間の確保が難しくなるという問題がある。
【００１１】
本発明は、ブラシ機構の調整方向の全長の短縮化が容易で、ブラシ取付部の周りの空間の省スペース化が容易なレンズ鏡筒の提供を目的とする。
【課題を解決するための手段】
【００１２】
本発明のレンズ鏡筒は、
光軸周りに回転可能なカム筒、
前記カム筒の回転により光軸方向に進退駆動される、フォーカスレンズ群を保持したレンズ保持枠、
前記カム筒に回動力を伝達する回転伝達環、
前記回転伝達環に外周面の周方向の調整範囲内の任意の位置に位置調整可能な状態で取着されるブラシユニット、
前記固定筒に設けたコードパターン、
前記ブラシユニットのブラシ部が前記コードパターンに摺接して、
前記回転伝達環の前記固定筒に対する回転情報を検出する位置検出手段、
とを有するレンズ鏡筒であって、
前記ブラシユニットは、前記回転伝達環の周方向に前記ブラシユニットの固定用の第１、第２のビスが挿通される第１、第２の長穴を有し、前記第１の長穴の周方向の長さは、前記第２の長穴の周方向の長さよりも長く、
前記回転伝達環は、前記ブラシユニットの調整方向を規制する前記ブラシユニットの第１、第２の長穴に各々嵌入するガイド部と、
前記第１の長穴を介して前記ブラシユニットを固定するための第１のビスを挿入する第１のビス穴と、
前記第２の長穴を介して前記ブラシユニットを固定するため第２のビスを挿入する複数のビス穴を有しており、
前記ブラシユニットを前記回転伝達環に前記調整範囲内の任意の位置に調整して、前記第１の長穴を介して前記第１のビス穴に前記第１のビスを挿入して固定するとき、
前記第２の長穴から前記複数のビス穴のうち少なくとも１つのビス穴が露出するように構成されていることを特徴としている。
【発明の効果】
【００１３】
本発明によれば、ブラシ機構の調整方向の全長の短縮化が容易で、ブラシ取付部の周りの空間の省スペース化が容易なレンズ鏡筒が得られる。
【発明を実施するための最良の形態】
【００１４】
以下に、本発明のレンズ鏡筒の実施の形態を添付の図面に基づいて詳細に説明する。
【００１５】
本発明のレンズ鏡筒は、フォーカスレンズ群を保持するレンズ保持枠と、光軸周りに回転することでレンズ保持枠を光軸方向に進退駆動させるカム筒を有している。
【００１６】
ブラシユニットが固定され、カム筒に回転力(回動力)を伝達する回転伝達環を有している。
【００１７】
ブラシユニットは、回転伝達環に外周面の周方向の調整範囲内の任意の位置に位置調整可能な状態で取着されている。
【００１８】
固定筒には、回転伝達環の位置を検出するための位置検出手段を構成するコードパターンが設けられている。
【００１９】
そしてブラシユニットのブラシ部がコードパターンに摺接して、回転伝達環の固定筒に対する回転情報を検出している。
【実施例１】
【００２０】
図１、図２は、一眼レフカメラの交換レンズ鏡筒に本発明のレンズ鏡筒を適用したものである。図１、図２において、ＬＢはレンズ鏡筒であり、カメラ本体ＣＢと着脱マウント１１を介して装着されている。カメラ本体ＣＢとの着脱マウント１１には、固定筒１２と、直進案内筒１３、前群鏡筒１４が固定されている。これらは交換レンズ鏡筒ＬＢの固定部材である。
【００２１】
直進案内筒１３には、フォーカスレンズ（第２レンズ群）Ｌ２を保持する後群鏡筒１６の光軸方向の移動のための直進案内溝１３ａが形成されている。フォーカスレンズＬ２を保持した後群鏡筒（レンズ保持枠）１６には、径方向外方に突出するカムローラー１７a、１７ｂが軸ビス１８により固定されており、このカムローラー１７ａがこの直進案内溝１３ａに嵌まっている。
【００２２】
直進案内筒１３の内周には、カム環１５（フォーカスカム環）が回動自在に嵌まっている。直進案内筒１３とカム環１５とは、カム環１５に固定されたローラ１９が、直進案内筒１３の周溝１３ｂに嵌まることで、光軸方向への相対移動が規制されている。このカム環１５には、フォーカスレンズＬ２を保持する後群鏡筒１６用のカム溝１５ａが形成されていて、カム溝１５ａには、後群鏡筒１６に固定されたカムローラー１７ｂが同時に嵌まっている。
【００２３】
固定筒１２の外周側にはボールレース２７により固定筒１２に対して定位置回転可能に保持された回転伝達環（ブラシ取付部材）２０が配置されている。回転伝達環２０は、環状部材より成り、回転伝達環２０から放射状に延びた軸２０ｆにコロ２２が回転自由に保持されており、このコロ２２の径大部２２ａがマニュアルフォーカス環２４の後ろ端面２４ｂと接触している。
【００２４】
またコロ２２の径小部２２ｂは超音波モーターユニット（駆動手段）２５の先端部２５ａと接触している。なお、コロ２２の径大部２２ａとマニュアルフォーカス環２４の後ろ端面２４ａとは、波ワッシャー２６が超音波モーターユニット２５をレンズ前方に押圧する力により適度な加圧力が付与された状態で接触している。
【００２５】
また同じく、波ワッシャー２６が超音波モーターユニット２５をレンズ前方に押圧する力により、コロ２２の径小部２２ｂと超音波モーターユニット２５の先端部２５ａの間も適度な加圧力が付与された状態で接触している。
【００２６】
従って、不図示の制御部により超音波モーターユニット２５が固定筒１２に対して回転駆動されると、超音波モーターユニット２５の先端部２５ａがコロ２２の径小部２２ｂに回転力を与える。コロ２２の径小部２２ｂに回転力が与えられるとコロ２２が回転し、結果として回転伝達環２０が光軸周りに回転する。このときマニュアルフォーカス環２４は、マニュアルフォーカス環２４の前方面２４ａと固定筒１２の当接面１２ａとの摩擦保持力により回転しないようになっている（オートフォーカス動作）。
【００２７】
また、不図示のマニュアル操作入力部からマニュアルフォーカス環２４に光軸周りの回転力が与えられると、マニュアルフォーカス環２４の後ろ端面２４ｂがコロ２２の径大部２２ａと加圧接触しているため、摩擦力によりコロ２２が軸２０ｆ周りに回転する。コロ２２の径大部２２ａが軸２０ｆ周りに回転すると、回転伝達環２０が光軸周りに回転する。このとき超音波モーターユニット２５は、ローター２５ｃとステーター２５ｂの摩擦保持力により回転しないようになっている（マニュアルフォーカス動作）。
【００２８】
回転伝達環２０には、フォーカスキー２８が２つ互いに対向する位置に取り付けられており、フォーカスキー２８がカム環１５の先端に設けられた切り欠き部１５ｂと嵌合している。従って、オートフォーカス動作或いはマニュアルフォーカス動作が行われて、回転伝達環２０が光軸周りに回転させられると、その回転力がフォーカスキー２８を介してカム環１５に伝達される。カム環１５が光軸周りに回転させられると、カムローラー１７ａと直進案内溝１３ａにより回転規制された後群鏡筒１６が、カムローラー１７ｂによってカム環１５のカム溝１５ａに沿って進退する。これにより、後群鏡筒１６に保持されているフォーカスレンズＬ２が駆動され、フォーカス動作が行われる。
【００２９】
さらに、回転伝達環２０の外周面には、ブラシユニット２１が周方向に所定量（所定の調整範囲）で位置調整可能な状態で取り付けられるようになっている。そして、このブラシユニット２１のブラシ部２１ａのコードパターン接触部２１ｃ（２１ｃ−１〜２１−６）が固定筒１２の外周面に貼付されたフレキシブルプリント基板（ＦＰＣ）２９上にエッチングされたコードパターン２９ａ上を摺接する。これにより回転伝達環２０の位置、即ちフォーカス位置（回転情報）を検出している。
【００３０】
尚、これらの各部材２１、２９ａ、２９等は位置検出手段の一要素を構成している。
【００３１】
コードパターン２９ａとは、複数ビットの導電・非導電のパターン（ランド）を有している。
【００３２】
そしてこの導電・非導電のパターンと接触するブラシ部２１ａのオンオフ情報が不図示の焦点距離検出回路に送られる。これにより回転伝達環２０の回転位置（カム環１５の回動位置）、つまりフォーカスレンズＬ２（後群鏡筒１６）の移動位置が検出される。
【００３３】
なお、ブラシユニット２１のブラシ部２１ａはコードパターン２９ａ上を摺動中、不用意にコードパターン２９ａとの接触状態が失われないようにしている。例えばブラシユニット２１のブラシ部２１ａのコードパターン接触部２１ｃがコードパターン２９ａを適度な加圧力でチャージするような構成より成っている。
【００３４】
この他、例えばバネ等の押圧手段でコードパターン接触部２１ｃがコードパターン２９ａをチャージするようにしても良い。
【００３５】
図３は距離目盛環２３の展開図である。距離目盛環２３は円環状をしており、その外周側に距離目盛が印字されている。距離目盛環２３は、フォーカス時の無限遠物体合焦側メカ端と至近距離物体側メカ端を規定する突出部（凸形状）２３ａ、２３ｂを有している。無限遠物体側にフォーカスした際に突出部２３ａが不図示の規制部材に当接し、至近距離物体側にフォーカスした際に突出部２３ｂが不図示の規制部材に当接する。
【００３６】
距離目盛環２３は回転伝達環２０の外周部に２ヶ所で固定されている。距離目盛環２３に設けられた２つのビス挿通穴はいずれも長穴２３ｃ−１、２３ｃ−２となっており、長穴の有効長だけ周方向に位置調整可能となっている。２３ｄは無限表示位置である。
【００３７】
図４は、ブラシユニット２１が回転伝達環２０に取り付けられるときの要部概略図である。
【００３８】
回転伝達環（ブラシ取付部材）２０には、ブラシユニット２１の長穴２１ｄ、２１ｅに挿通されるガイド部としての突起から成るガイド突起２０ａ、２０ｂとビス穴２０ｃ、２０ｄ−１、２０ｄ−２が設けられている。
【００３９】
ここで２０ａは第１の突起、２０ｂは第２の突起である。又２０ｃは第１のビス穴である。又２０ｄ−１、２０ｄ−２は複数のビス穴のうちの２つである。
【００４０】
ブラシユニット２１は周方向長穴（第１の長穴）２１ｄと、周方向長穴２１ｄより周方向長さが短い長穴（第２の長穴）２１ｃが設けられており、周方向長穴２１ｄ、２１ｅがそれぞれ回転伝達環２０のガイド突起（２つの突起）２０a、２０ｂに嵌入されている。従って、ブラシユニット２１は、ガイド突起２０ａ、２０ｂにより、光軸方向への移動を規制された状態で、回転伝達環２０の周方向の所定の調整範囲で移動が可能になっている。
【００４１】
次に、このブラシユニット２１の機構の調整について説明する。
【００４２】
図５は、回転伝達環２０に固定するときのブラシユニット２１を調整可能範囲内の一方の端に調整した状態を示している。図５からも分かるようにブラシユニット２１の周方向の長穴２１ｄからは、回転伝達環２０のビス穴（第１のビス穴）２０ｃが露出している。
【００４３】
又、ブラシユニット２１の周方向の長穴２１ｅからは、回転伝達環２０のビス穴（第２のビス穴）２０ｄ−１が露出している。
【００４４】
尚、この状態では、ブラシユニット２１の周方向の長穴２１ｅからは、回転伝達環２０のビス穴２０ｄ−２が見えない。
【００４５】
従って、ブラシユニット２１を回転伝達環２０に固定する際には、回転伝達環２０のビス穴２０ｃにビス（第１のビス）３０ａ、ビス穴２０ｄ−１にビス（第２のビス）３０ｂを締めこむ。
【００４６】
図６は、ブラシユニット２１を調整可能範囲の他方の端に調整した状態を示している。この場合、ブラシユニット２１の周方向の長穴２１ｄからは、回転伝達環２０のビス穴２０ｃが露出しており、ブラシユニット２１の周方向の長穴２１ｅからは、回転伝達環２０のビス穴（第２のビス穴）２０ｄ−２が露出している。この状態では、ブラシユニット２１の周方向長穴２１ｅからは、回転伝達環２０のビス穴２０ｄ−１が見えない。
【００４７】
従って、ブラシユニット２１を回転伝達環２０に固定する際には、回転伝達環２０のビス穴２０ｃにビス（第１のビス）３０ａ、ビス穴２０ｄ−２にビス（第２のビス）３０ｂを締めこむ。
【００４８】
ブラシユニット２１の調整位置が調整範囲の中心付近に位置する場合、ブラシユニット２１の周方向の長穴２１ｄからは回転伝達環２０のビス穴２０ｃが露出する。又ブラシユニット２１の周方向の長穴２１ｅからは、回転伝達環２０の少なくとも１つ、同図では２つのビス穴２０ｄ−１、２０ｄ−２が共に露出している。
【００４９】
従って、ブラシユニット２１を回転伝達環２０に固定する際には、回転伝達環２０のビス穴２０ｃにビス（第１のビス）３０ａ、ビス穴２０ｄ−１或いは２０ｄ−２のどちらか一方にビス（第２のビス）３０ｂを締めこむ。
【００５０】
以上のように本実施例において、ブラシユニット２１は、回転伝達環２０の周方向にブラシユニット２１の固定用の第１、第２のビス３０ａ、３０ｂが挿通される第１、第２の長穴を有している。このとき第１の長穴２１ｄの周方向の長さは前記第２の長穴２１ｅの周方向の長さよりも長くなるようにしている。
【００５１】
一方回転伝達環２０は、ブラシユニット２１の調整方向を規制するブラシユニットの第１、第２の長穴２１ｄ、２１ｅに各々嵌入するガイド部２０ａ、２０ｂを有する。
【００５２】
第１の長穴２１ｄを介してブラシユニット２１を固定するための第１のビス３０ａを挿入する第１のビス穴２０ｃを有する。更に、第２の長穴２１ｅを介してブラシユニット２１を固定するための第２のビス３０ｂを挿入する複数のビス穴２０ｄ−１、２０ｄ−２を有している。このときビス穴は２以上いくつあっても良い。
【００５３】
そしてブラシユニット２１を回転伝達環２０に調整範囲内の任意の位置に調整して、第１の長穴２１ｄを介して第１のビス穴２０ｃに第１のビス３０ａを挿入して固定する。
【００５４】
次に第２の長穴２１ｅから複数のビス穴のうち少なくとも１つのビス穴が露出するように構成し、露出したビス穴に第２のビス３０ｂを挿入して固定している。
【００５５】
以上のように本実施例ではバックフォーカス調整に伴うブラシユニットの調整は、ブラシ取付部材にブラシ取付用の複数のビス穴を設け、ブラシ取付部材に設けた２つの長穴のうち一方を他方に対して短くした。
【００５６】
そして本実施例では、ブラシユニット２１を回転伝達環２０に固定する際、回転伝達環２０に設けたビス穴２０ｃと、調整位置により回転伝達環２０に設けたビス穴２０ｄ−１或いは２０ｄ−２のうちどちらか一方とを使用してビスで固定することにしている。
【００５７】
これにより、ブラシユニット２１の周方向長穴２１ｅの周方向長さを周方向長穴２１ｄに対して短くできるので、ブラシユニット２１の周方向全長を短くすることが可能となる。
【００５８】
更に、ブラシ取付部材の調整方向の全長短縮化が容易になるので、ブラシ取付部の周りのスペースが有効に利用できるレンズ鏡筒が得られる。
【００５９】
本実施例では、ブラシユニット２１の周方向長穴２１ｅに対して回転伝達環２０のビス穴を２つ設けたが、ビス穴を３つ以上設けても良い。これによれば周方向長穴２１ｅの周方向長さが更に短くて済むことになり、ブラシユニット２１の周方向全長の短縮化に効果的である。
【００６０】
さらには、ブラシユニット２１の周方向長穴２１ｄに対して回転伝達環２０にビス穴を１つのみ設けたが、ビス穴を２つ以上設けても良い。これによれば周方向長穴２１ｄの周方向長さが更に短くて済むことになり、ブラシユニット２１の周方向全長の短縮化により効果的である。
【００６１】
なお、本実施例では後述のバックフォーカス調整が行われる前の状態ではブラシユニット２１の調整位置は不明なので、ブラシユニット２１は回転伝達部材２０に対して仮の位置で取付固定されている。
【００６２】
図７は、以上の構成を光軸方向のレンズマウント１１側から見た要部概略図である。この構成においては、ブラシユニット２１が回転伝達環２０の調整範囲内のどの位置に固定した際にも、ブラシユニット２１とコードパターンとの距離が変化することがない。このため、ブラシユニット２１のコードパターン接触部２１ｃ（２１ｃ−１、２１ｃ−６）がコードパターンをチャージする力（押圧力）を維持することができる。
【００６３】
次に本実施例のコードパターンについて説明する。
【００６４】
図８はコードパターン２９ａがエッチングされたフレキシブルプリント（ＦＰＣ）２９の説明図である。コードパターン２９ａは６本の導電・非導電のパターン（ランド）２９−１〜２９−６より形成されている。
【００６５】
図９に示すようにこのパターン２９−１〜２９−６上をブラシユニット２１のブラシ部２１ａのコードパターン接触部２１ｃ−１〜２１ｃ−６が摺動することにより、パターン２９−１〜２９−６までの導電・非導電の状態が切り替わる仕組みになっている。
【００６６】
本実施例では、パターン２９−５はＧＮＤに接続されており、ブラシユニット２１の可動範囲内においては常にブラシ部２１ａのコードパターン接触部２１ｃ−１〜２１ｃ−６のいずれかが接触している。カム筒１５の回転位置を検出は、パターン２９−１〜２９−５の導電・非導電のパターンの組み合わせにより行う。
【００６７】
なお、パターン２９−６は無限遠方向にフォーカスした際のフォーカスメカ（フォーカス機構）端位置を電気的に検出するためのパターンとなっており、フォーカスメカ端に相当する位置はコの字状にパターン（ランド）２９−７が形成されている。
【００６８】
コの字状のランド２９−７の中心位置は図に示すように非導電部となっており、ブラシ部２１ａのコードパターン接触部２１ｃ−３がパターン２９−７に位置する際にはパターン２９−６は非導通状態となる。
【００６９】
従って、パターン２９−６が非導通状態になる位置にブラシユニット２１を調整するとフォーカス無限遠側のメカ端位置を電気的に検知することが可能となる。
【００７０】
図１０はバックフォーカス調整についての説明図である。
【００７１】
フォーカス操作環（マニュアルフォーカス環）２４を回転させると、回転伝達環２０が回転し、回転伝達環２０に一体固定されたフォーカスキー２８がフォーカスカム筒１５を回転させる。フォーカスカム筒１５の回転により、第２レンズ群（フォーカスレンズ）Ｌ２は直進移動し、焦点位置を変化させる。
【００７２】
バックフォーカス調整は、ピントコリメータなどの工具を用いて調整を行う。ズームレンズの鏡筒のバックフォーカス調整は、レンズ鏡筒の部品の作製誤差によって生ずる無限ピントのずれ、即ち無限遠物体に焦点合わせをしたときのレンズ鏡筒の所定面から焦点面までの距離の設計値からのずれを修正する作業である。
【００７３】
ピントコリメータのバックフォーカスを０にセットして正規化し、ピントコリメータにレンズ本体を装着し、フォーカスキー２８を回転し、フォーカスレンズＬ２を進退させて無限遠物体にピントを合わせる。
【００７４】
その後、距離目盛環２３の無限表示位置２３ｄを不図示のレンズ鏡筒の無限基準指標（例えばレンズ鏡筒真上位置）に合致させ、距離目盛環２３を回転伝達環２０にビス固定する。距離目盛環２３の長穴２３ｃ−１，２３ｃ−２からビス３１ａ、３１ｂを挿入し、回転伝達環２０のビス穴２０ｅ−１、２０ｅ−２に締めつける。
【００７５】
その状態で、フォーカス操作環２４をさらに超無限側へ所定角度だけ回転させる。そうすると、回転伝達環２０とともに距離目盛環２３が一体回転し、距離目盛環２３の突出部２３ａが不図示の端規制部材に当接して、回転伝達環２０がそれ以上回転できなくなる（無限側メカ端）。
【００７６】
また、フォーカス操作環２４を至近側に回転させていくと、距離目盛環２３の突出部２３ｂが不図示の規制部に当接して、回転伝達環２０がそれ以上回転できなくなる（至近側メカ端）。
【００７７】
本実施例のレンズ鏡筒のバックフォーカス調整とは、距離目盛環２３をバックフォーカス調整結果に応じた位置に取付固定して無限側、至近側のフォーカスメカ端を変化させ、結果的にカム環１５の回動範囲をシフトさせることにより行う。
【００７８】
このようにバックフォーカス調整とともにレンズ鏡筒の無限側と至近側のフォーカスメカ端が規定される。従って、規定されたフォーカスメカ端に合わせてブラシユニット２１とフレキシブルプリント板２９のコードパターン２９ａの位置調整を行う。
【００７９】
まず、回転伝達環２０が無限側メカ端に位置した状態で、前述の２本のブラシユニット２１の取付ビス３０ａ、３０ｂを弛める。
【００８０】
そして、コードパターン２９ａの無限側メカ端を示す位置２９−７（コの字状ランドの非導電部）にブラシユニット２１のブラシ部２１ａのコードパターン接触部２１ｃ−３の接触部が位置するようにする。そしてコードパターン２９−６の導通をチェックしながらブラシユニット２１を回転伝達環２０に対して位置調整し、ビス３０ａ、３０ｂを締めつける。
【００８１】
このようにして、バックフォーカス調整により変化したブラシユニット２１とコードパターン２９−１〜２９−６のずれを解消する。
【００８２】
上記実施例は、一眼レフカメラの交換レンズ鏡筒、コンパクトカメラ、電子スチルカメラ等、カメラの種類を問わずに適用することができる。
【００８３】
上記実施例では、ブラシユニット２１が、コードパターン２１ａとの接触部分となるブラシ部２１ａと、ブラシユニット２１を保持するホルダー（回転伝達環）２０が一体形成された例を説明した。本発明はブラシユニット２１とホルダー２０が別部品より成り、接着や溶着等により結合されたものであっても適用できる。
【００８４】
上記実施例は、バックフォーカス調整時のブラシ位置調整を例に説明したが、本発明はバックフォーカス調整に限ったことではなく、ブラシユニットをコードパターン２９ａに対して位置調整するような場合であれば適用が可能である。
【００８５】
上記実施例は、環状部材より成る回転伝達環２０の外周面に対してブラシユニット２１を位置調整可能とした例を示したが、本発明は環状部材に限ったことではなく、平面部材に対してブラシユニットを位置調整可能とする場合にも適用が可能である。
【図面の簡単な説明】
【００８６】
【図１】本発明の実施例１のレンズ鏡筒主要断面図
【図２】本発明の実施例１のレンズ鏡筒の駆動部詳細図
【図３】本発明の実施例１の距離目盛環の展開図
【図４】本発明の実施例１のブラシユニット取付図
【図５】本発明の実施例１のブラシユニット取付図
【図６】本発明の実施例１のブラシユニット取付図
【図７】本発明の実施例１のブラシユニット組付け状態を光軸方向から見た図
【図８】本発明の実施例１のフレキシブルプリント基板のコードパターン図
【図９】本発明の実施例１のブラシユニットとコードパターンの位置調整を示した図
【図１０】本発明の実施例１のバックフォーカス調整方法を示した図
【符号の説明】
【００８７】
Ｌ１…前群レンズ、Ｌ２…後群レンズ（フォーカスレンズ）、１２…固定筒、１３…直進ガイド筒、１４…前群鏡筒、１５…カム環、１６…後群鏡筒、２０…回転伝達環、２１…ブラシユニット、２２…コロ、２３…距離目盛環、２４…マニュアルフォーカス環、２５…超音波モーター、２９…フレキシブルプリント基板
【図１】
2009169052.tif 000003
【図２】
2009169052.tif 000004
【図３】
2009169052.tif 000005
【図４】
2009169052.tif 000006
【図６】
2009169052.tif 000007
【図８】
2009169052.tif 000008
【図９】
2009169052.tif 000009
【図１０】
2009169052.tif 000010
【図５】
2009169052.tif 000011
【図７】
2009169052.tif 000012